(57)【要約】【課題】放送伝送の受領通知。【解決手段】放送伝送を受領通知するための方法及び装置が示される。受領通知チャネルは個別伝送及び放送伝送での伝送の成功或いは失敗を受領通知するために設計される。受領通知は新しい直交空間が遠隔局に送られたかどうかに基づいて生成される。（４１０）さらに、個別伝送に対して受領通知が必要であるときに放送伝送への受領通知は生成される。（４７０）二つの受領通知は結合され基地局へ送られる。
2005524339.tif 000002
【特許請求の範囲】
【請求項１】
個別伝送及び放送伝送の配送を受領通知するための遠隔局の装置であって、以下を具備する装置：
記憶要素；そして
記憶要素に保持された命令の組を実行するように構成された処理要素であって、前記命令の組は以下のためである処理要素；
基地局からの個別伝送に応答して第１の受領通知メッセージを生成すること；
基地局からの放送伝送に応答して第２の受領通知メッセージを生成すること；
第１の受領通知メッセージをカバーするためのウォルシュ符号を選択するために第２の受領通知メッセージを使用すること；そして
第１のカバーされた受領通知メッセージを基地局へ送信すること。
【請求項２】
個別伝送及び放送伝送の配送を受領通知するための方法あって、以下を具備する方法：
基地局からの個別伝送に応答して第１の受領通知メッセージを生成すること；
基地局からの放送伝送に応答して第２の受領通知メッセージを生成すること；
第１の受領通知メッセージをカバーするためのウォルシュ符号を選択するために第２の受領通知メッセージを使用すること；そして
第１のカバーされた受領通知メッセージを基地局へ送信すること。
【請求項３】
遠隔局からの受領通知伝送を評価するための基地局の装置であって、以下を具備する装置：
記憶要素；そして
記憶要素に保持された命令の組を実行するように構成された処理要素であって、前記命令の組は以下のためである処理要素；
受領通知メッセージを復号すること；
受領通知メッセージをカバーしているウォルシュ符号系列の正体を決定すること；
個別伝送が遠隔局によって復号されたかどうか判断するために受領通知メッセージを使用すること；そして
放送伝送が遠隔局によって復号されたかどうか判断するためにウォルシュ符号系列の正体を使用すること。
【請求項４】
遠隔局からの受領通知メッセージを評価するための方法であって、以下を具備する方法：
受領通知メッセージを復号すること；
受領通知メッセージをカバーしているウォルシュ符号系列の正体を決定すること；
個別伝送が遠隔局によって復号されたかどうか判断するために受領通知メッセージを使用すること；そして
放送伝送が遠隔局によって復号されたかどうか判断するためにウォルシュ符号系列の正体を使用すること。
【請求項５】
放送伝送への受領通知メッセージを生成するかどうかを決定するための方法であって、以下を具備する方法：
放送伝送に含まれるウォルシュマスクを前の放送伝送に含まれる前のウォルシュマスクと比較すること；そして
ウォルシュマスクが前のウォルシュマスクと同じでない場合、もし個別伝送が放送伝送と同じ期間にスケジュールされているならば受領通知メッセージを生成すること。
【請求項６】
結合された受領通知メッセージを生成するための装置であって、結合された受領通知メッセージは個別伝送及び放送伝送を受領通知するためであって、以下を具備する装置：
シンボルを形成するために受領通知ビットの値を繰り返すための繰り返し要素；
第２の受領通知ビットの値に基づいてウォルシュ符号のシンボルを選択するためのカバーリング要素；そして
カバーリング要素の出力で繰り返し要素の出力を拡散するための乗算器。
【発明の詳細な説明】
【技術分野】
【０００１】
本発明は一般に通信、より具体的にはスペクトラム拡散通信システムの符号チャネルを識別するために用いられる直交空間情報の信頼出来る伝達を改善することに関する。
【背景技術】
【０００２】
無線通信の分野は、例えば、コードレス電話、ページング（ｐａｇｉｎｇ）、無線ローカルループ（ｌｏｏｐｓ）、個人ディジタルアシスタント（ａｓｓｉｓｔａｎｔｓ）（ＰＤＡｓ）、インターネット電話、そして衛星通信システムを含む多くの応用がある。特に重要な応用は移動加入者に対するセルラー電話システムである。ここで用いられるように、“セルラー”システムという用語はセルラー及び個人通信サービス（ＰＣＳ）周波数の両方で動作するシステムを含む。様々な大気中（ｏｖｅｒ−ｔｈｅ−ａｉｒ）インターフェースが、例えば、周波数分割多元接続（ＦＤＭＡ）、時分割多元接続（ＴＤＭＡ）、符号分割多元接続（ＣＤＭＡ）を含むそのようなセルラー電話システムに対して開発されてきた。それと共に関連して、例えば、進歩した移動電話サービス（Ａｄｖａｎｃｅｄ  Ｍｏｂｉｌｅ  Ｐｈｏｎｅ  Ｓｅｒｖｉｃｅ）（ＡＭＰＳ）、移動のためのグローバルシステム（Ｇｌｏｂａｌ  Ｓｙｓｔｅｍ  ｆｏｒ  Ｍｏｂｉｌｅ）（ＧＳＭ）、暫定的な標準９５（Ｉｎｔｅｒｉｍ  Ｓｔａｎｄａｒｄ  ９５）（ＩＳ−９５）を含む様々な国内的或いは国際的な標準が確立されてきた。ＩＳ−９５及びその派生である、ＩＳ−９５Ａ、ＩＳ−９５Ｂ、ＡＮＳＩ、Ｊ−ＳＴＤ−００８（ここではまとめてＩＳ−９５としばしば言及される）、そして提案された高データレート（ｈｉｇｈ−ｄａｔａ−ｒａｔｅ）システムは、通信機械工業会（Ｔｅｌｅｃｏｍｍｕｎｉｃａｔｉｏｎ  Ｉｎｄｕｓｔｒｙ  Ａｓｓｏｃｉａｔｉｏｎ）（ＴＩＡ）及び他の良く知られた標準化団体によって広められた。
【０００３】
ＩＳ−９５標準の使用に従って構成されたセルラー電話システムは、非常に効率的で強靭なセルラー電話サービスを提供するためにＣＤＭＡ信号処理技術を用いる。ＩＳ−９５標準の使用に従って実質的に構成された代表的なセルラー電話システムは、本発明の譲受人に譲渡され参照としてここに組み込まれる米国特許第５,１０３,４５９号及び第４,９０１,３０７号に記載されている。ＣＤＭＡ技術を利用した代表的なシステムは、ＴＩＡによって発行された（ここでｃｄｍａ２０００として呼ばれる）ｃｄｍａ２０００  ＩＴＵ−Ｒ無線伝送技術（ＲＴＴ）候補提案（Ｃａｎｄｉｄａｔｅ  Ｓｕｂｍｉｓｓｉｏｎ）である。ｃｄｍａ２０００に対する標準はＩＳ−２０００のドラフト（ｄｒａｆｔ）版において与えられＴＩＡ及び３ＧＰＰ２によって承認されている。別のＣＤＭＡ標準はＷ−ＣＤＭＡ標準であり、第３世代パートナーシップ計画（３rd  Ｇｅｎｅｒａｔｉｏｎ  Ｐａｒｔｎｅｒｓｈｉｐ  Ｐｒｏｊｅｃｔ）“３ＧＰＰ”，文献番号３ＧＴＳ２５．２１１、３ＧＴＳ２５．２１２、３ＧＴＳ２５．２１３、そして３ＧＴＳ２５．２１４に収録されているものである。
【０００４】
上で述べた電気通信標準は実現され得る様々な通信システムのほんのいくつかの例である。これら様々な通信システムのいくつかは、遠隔（ｒｅｍｏｔｅ）局がサービス中の基地局への伝送媒体の品質に関する情報を送信することが出来るように構成される。ここで述べられるように、“サービス中の”基地局は遠隔局と通信している基地局である。そしてこのチャネル情報はサービス中の基地局によって電力レベル、送信形式、及び順リンク伝送のタイミングを最適化し、そして更に逆リンク伝送の電力レベルを制御するために使用され得る。
【０００５】
ここで用いられるように、“順リンク”は基地局から遠隔局へと方向付けられる全ての伝送をさし、そして“逆リンク”は遠隔局から基地局へと方向付けられる全ての伝送をさす。順リンクと逆リンクは無相関であり、それは一方の観測は他方の予測の助けとならないことを意味する。しかしながら、静止した或いはゆっくり動く遠隔局に対しては順リンク伝送パスの特性は逆リンク伝送パスの特性と統計的な意味で同じ様に観測されるだろう。
【０００６】
順リンクは遠隔局の間で共有される資源である。複数の遠隔局への同時伝送を保証するために、直交符号を用いたチャネル化（ｃｈａｎｎｅｌｉｚａｔｉｏｎ）が実現され得る。直交符号の数は制限されたシステム資源であり、動的な原理に基づいて割り当てられそして再割り当てされなければならない。どの直交符号を用いるかの選択は基地局によって実現される最適化過程の一部である。
【０００７】
特定の遠隔局に対する伝送は個別（ｄｅｄｉｃａｔｅｄ）チャネルで送られ、遠隔局のグループに対する伝送は放送の方式で送られる。個別チャネルでの伝送は潜在的なパラメータの大きな選択（ｓｅｌｅｃｔｉｏｎ）から選ばれたパラメータの組を用いて符号化される。基地局によって使用されたパラメータの特定の組を遠隔局が知らない場合、そのとき遠隔局は、伝送が正しく復号されるまでパラメータの全ての組を用いて伝送を復調及び復号するように試みなければならないだろう。これは非効率な方法論である。それゆえ、遠隔局が伝送形式（ｔｒａｎｓｍｉｓｓｉｏｎ  ｆｏｒｍａｔ）の情報を受信出来るように、一般的には放送（ｂｒｏａｄｃａｓｔ）チャネルで伝送形式の情報は送信される。遠隔局は、放送チャネルを復号するために与えられた送信形式の情報を用いるように構成される。
【０００８】
例えば、もしデータが遠隔局に送信されることになっているなら、基地局は与えられた伝送形式、即ち“パッケージング（ｐａｃｋａｇｉｎｇ）”に従ってデータをパッケージし（ｐａｃｋａｇｅ）、パッケージされたデータと該遠隔局に用いられたパッケージングのタイプについての情報の両方を送る。パッケージングのタイプに関する知識は遠隔局がパッケージされたデータを素早く効率的に開くのを可能にする。しかしながら、パッケージングの情報を送ることは問題を有する可能性がある。
【０００９】
データのスループットレートを改善するために、送信形式の情報は遠隔局によって容易に復調され復号されるやり方で送られなければならない。典型的には、送信形式の情報は放送として送信され、従って遠隔局は、準備（ｓｅｔ−ｕｐ）の遅延無しに情報を素早く復調及び復号することができる。しかしながら、全ての放送伝送に共通かつ不可避の欠点：信頼性と効率性、が存在する。放送伝送の場合、基地局は誰が放送を受信しているかもしれないか、そして誰が放送を受信し損なったかもしれないかについて直ちに判断することが出来ない。それゆえ、もし放送された送信形式の情報が受信し損なわれた場合、遠隔局は個別チャネル上の対応する送信も受信し損なうかもしれない。
【発明の開示】
【００１０】
［サマリー］
上述された問題を処理するために方法及び装置がここにおいて示される。一つの態様において、個別伝送及び放送伝送の配送を受領通知する（ａｃｋｎｏｗｌｅｄｇｉｎｇ）ための方法が示され、該方法は下記を具備する：基地局からの個別伝送に応じた第１の受領通知（ａｃｋｎｏｗｌｅｄｇｍｅｎｔ）メッセージを生成すること；基地局からの放送伝送に応じた第２の受領通知メッセージを生成すること；第１の受領通知メッセージをカバーする（ｃｏｖｅｒｉｎｇ）ためのウォルシュ（Ｗａｌｓｈ）符号を選択するために第２の受領通知メッセージを用いること；そして、基地局へ第１のカバーされた（ｃｏｖｅｒｅｄ）受領通知メッセージを送信すること。
【００１１】
別の態様において、遠隔局からの受領通知伝送を評価するための方法が示され、該方法は下記を具備する：受領通知メッセージを復号すること；受領通知メッセージをカバーしているウォルシュ符号系列の正体（ｉｄｅｎｔｉｔｙ）を決定すること；個別伝送が遠隔局によって復号されたかどうかを判断するために受領通知メッセージを用いること；そして、放送伝送が遠隔局によって復号されたかどうかを判断するためにウォルシュ符号系列の正体を用いること。
【００１２】
［詳細な説明］
図１に示されるように、無線通信ネットワーク１０は一般に、複数の移動局（遠隔局、加入者ユニット、或いはユーザ装置とも呼ばれる）１２ａ−１２ｄ、複数の基地局（基地局送受信機（ＢＴＳｓ）或いはノード（Ｎｏｄｅ）Ｂとも呼ばれる）１４ａ−１４ｃ、基地局コントローラ（ＢＳＣ）（無線ネットワークコントローラ或いはパケット制御機能とも呼ばれる）１６、移動交換センター（ＭＳＣ）或いはスイッチ１８、パケットデータサービス（ｓｅｒｖｉｎｇ）ノード（ＰＤＳＮ）或いは相互接続機能（ＩＷＦ）２０、公衆交換電話網（ＰＳＴＮ）２２（通常は電話会社）、そしてインターネットプロトコル（ＩＰ）ネットワーク２４（通常はインターネット）を含んでよい。簡単のために、４つの移動局１２ａ−１２ｄ、３つの基地局１４ａ−１４ｃ、１つのＢＳＣ１６、１つのＭＳＣ１８、そして１つのＰＤＳＮ２０が示される。より多く或いは少ない数の移動局１２、基地局１４、ＢＳＣｓ１６、ＭＳＣｓ１８、そしてＰＤＳＮｓ２０であったとしてもかまわないことは当業者によって理解されるだろう。
【００１３】
一つの実施例において無線通信ネットワーク１０はパケットデータサービスネットワークである。移動局１２ａ−１２ｄは、持ち運び可能な（ｐｏｒｔａｂｌｅ）電話、ＩＰベースのウェブブラウザ（Ｗｅｂ−ｂｒｏｗｓｅｒ）アプリケーションを起動している（ｒｕｎｎｉｎｇ）ラップトップ（ｌａｐｔｏｐ）コンピュータに接続されているセルラー電話、関係したハンズフリー（ｈａｎｄｓｆｒｅｅ）用の自動車の装備と共にあるセルラー電話、ＩＰベースのウェブブラウザアプリケーションを起動している個人データアシスタント（ＰＤＡ）、持ち運び可能なコンピュータに組み込まれた無線通信モジュール、或いは無線ローカルループ又はメーターリーディング（ｍｅｔｅｒ  ｒｅａｄｉｎｇ）システムの中で見られるような位置を固定された通信モジュール、のような無線通信装置の多くの様々なタイプのうちのいずれであってもよい。最も一般的な実施例では、移動局はいずれのタイプの通信ユニットであってもよい。
【００１４】
移動局１２ａ−１２ｄは、例えばＥＩＡ／ＴＩＡ／ＩＳ−７０７標準に記載されるような一つ或いはそれ以上の無線パケットデータプロトコルを実行するように構成されてもよい。特定の実施例において、移動局１２ａ−１２ｄはＩＰネットワーク２４に向けたＩＰパケットを生成し、ポイント・トゥー・ポイント（ｐｏｉｎｔ−ｔｏ−ｐｏｉｎｔ）プロトコル（ＰＰＰ）を用いてＩＰパケットをフレームへとカプセル化する（ｅｎｃａｐｓｕｌａｔｅ）。
【００１５】
一つの実施例ではＩＰネットワーク２４はＰＤＳＮ２０に結合されていて、ＰＤＳＮ２０はＭＳＣ１８に結合されており、ＭＳＣはＢＳＣ１６に結合されていて、そしてＰＳＴＮ２２及びＢＳＣ１６は、例えば、Ｅ１、Ｔ１、非同期転送モード（ＡＴＭ）、ＩＰ、ＰＰＰ、フレームリレー（Ｆｒａｍｅ  Ｒｅｌａｙ）、ＨＤＳＬ、ＡＤＳＬ、或いはｘＤＳＬを含んだいくつかの知られたプロトコルの内のいずれかに従った音声及び／又はデータパケットの伝送のために構成された有線を介して基地局１４ａ−１４ｃと結合されている。代わりの実施例においては、ＢＳＣ１６は直接ＰＤＳＮ２０に結合されてもよい。
【００１６】
無線通信ネットワーク１０の典型的な動作の間、基地局１４ａ−１４ｃは、電話呼、ウェブブラウジング（Ｗｅｂ  ｂｒｏｗｓｉｎｇ）、或いは他のデータ通信に携わっている様々な移動局１２ａ−１２ｄからの逆信号の組を受信して復調する。与えられた基地局１４ａ−１４ｃによって受信されたそれぞれの逆信号はその基地局１４ａ−１４ｃの中で処理される。それぞれの基地局１４ａ−１４ｃは、移動局１２ａ−１２ｄへの順信号の組を変調して送信することによって複数の移動局１２ａ−１２ｄと通信してよい。例えば、図１に示されるように、基地局１４ａは第1及び第２の移動局１２ａ、１２ｂと同時に通信し、そして基地局１４ｃは第３及び第４の移動局１２ｃ、１２ｄと同時に通信する。結果的に生ずるパケットはＢＳＣ１６に送られ、ＢＳＣ１６は呼の資源割り当てや特定の移動局１２ａ−１２ｄに対する呼の１つの基地局１４ａ−１４ｃからもう１つの基地局１４ａ−１４ｃへのソフトハンドオフ（ｓｏｆｔ  ｈａｎｄｏｆｆｓ）の統合を含んだ移動性の管理機能を提供する。例えば、移動局１２ｃは２つの基地局１４ｂ、１４ｃと同時に通信している。結局、移動局１２ｃが基地局の１つ１４ｃから十分遠くへ移動すると、呼は他方の基地局１４ｂへとハンドオフされる。
【００１７】
伝送が従来の電話呼である場合、ＢＳＣ１６は受信したデータをＭＳＣ１８へと送り、ＭＳＣ１８はＰＳＴＮ２２とのインターフェースに対して更なる経路設定（ｒｏｕｔｉｎｇ）サービスを提供する。伝送がＩＰネットワーク２４に向けられたデータ呼のようなパケットベースの伝送である場合、ＭＳＣ１８はデータパケットをＰＤＳＮ２０へと送り、ＰＤＳＮ２０はパケットをＩＰネットワーク２４に送る。代わりに、ＢＳＣ１６はパケットを直接ＰＤＳＮ２０に送り、ＰＤＳＮ２０はパケットをＩＰネットワーク２４に送る。
【００１８】
いくつかの通信システムでは、データトラヒック（ｔｒａｆｆｉｃ）を運ぶパケットはサブパケットに分割され、サブパケットは伝送チャネルのスロットを占める。説明の容易さのみのために、ｃｄｍａ２０００システムの用語が今後使用される。そのような使用はここでの実施例の実現をｃｄｍａ２０００システムに制限する意図ではない。例えばＷＣＤＭＡのような他のシステムでの実現は、ここで述べられた実施例の範囲に影響を与えずに達成されうる。
【００１９】
基地局から基地局の範囲内で動作している遠隔局への順リンクは複数のチャネルを含むことが出来る。順リンクのチャネルのいくつかは、これらに限定されないが、パイロットチャネル、同期チャネル、ページングチャネル、クイック（ｑｕｉｃｋ）ページングチャネル、放送チャネル、電力制御チャネル、割り当て（ａｓｓｉｇｎｍｅｎｔ）チャネル、制御チャネル、個別制御チャネル、媒体アクセス制御（ＭＡＣ）チャネル、基本（ｆｕｎｄａｍｅｎｔａｌ）チャネル、付加（ｓｕｐｐｌｅｍｅｎｔａｌ）チャネル、付加コード（ｃｏｄｅ）チャネル、そしてパケットデータチャネルを含むことが出来る。遠隔局から基地局への逆リンクもまた複数のチャネルを含む。各チャネルは目的のあて先へ異なるタイプの情報を運ぶ。一般的に、音声トラヒックは基本チャネルで運ばれ、そしてデータトラヒックは付加チャネル或いはパケットデータチャネルで運ばれる。付加チャネルは、通常、指定された相手に対する個別チャネルであり、一方パケットデータチャネルは、通常、異なる相手に指定された信号を時間及び／又は符号―多重されたやり方で運ぶ。あるいは、パケットデータチャネルは共有された付加チャネルとしても記述される。ここでの実施例を説明する目的のために、付加チャネル及びパケットデータチャネルは一般にデータトラヒックチャネルと呼ばれる。
【００２０】
音声トラヒック及びデータトラヒックは典型的には、順或いは逆リンクのいずれかでの送信の前に符号化され、変調され、そして拡散される。符号化、変調、そして拡散は様々な形式で実現され得る。ＣＤＭＡシステムでは、結局送信形式は、音声トラヒックとデータトラヒックがその上を送信されているチャネルのタイプ及びフェージングと干渉の観点から記述され得るチャネルの状態に依存する。
【００２１】
様々な送信パラメータの組み合わせに対応する予め定められた送信の形式は、送信形式の選択を単純化するために使用され得る。一つの実施例では、送信形式は以下の送信パラメータのいずれか或いは全ての組み合わせに対応する：システムによって使用される変調方式、直交或いは準（ｑｕａｓｉ−）直交符号の数、直交或いは準直交符号の同定（ｉｄｅｎｔｉｆｉｃａｔｉｏｎ）、ビット単位でのデータペイロード（ｐａｙｌｏａｄ）のサイズ、メッセージフレームの持続期間、及び／又は符号化方式に関する詳細。通信システムの中で用いられる変調方式のいくつかの例は直交位相変調方式（ＱＰＳＫ）、８相位相変調（８−ＰＳＫ）、そして１６値直交振幅変調（１６−ＱＡＭ）である。選択的に実現され得る様々な符号化方式のいくつかは、様々なレートで実現される畳み込み符号化方式、或いは複数の符号化ステップを含むターボ（ｔｕｒｂｏ）符号化である。
【００２２】
ウォルシュ符号のような直交及び準直交符号はそれぞれの遠隔局へ送られる情報をチャネル化する（ｃｈａｎｎｅｌｉｚｅ）ために使用される。言い換えれば、ウォルシュ符号の系列は、同じ時間間隔の間に同じ周波数で、それぞれが一つ或いはいくつかの異なった直交或いは準直交符号を割り当てられた複数のユーザをシステムが重ね合わせる（ｏｖｅｒｌａｙ）ことを可能にするために順リンク上で使用される。例えば、ウォルシュ符号系列は以下のように再帰的に定義され得るウォルシュ関数によって生成される：
【数１】
2005524339.tif 000003
【００２３】
ここで、Ｗ’はＷの論理的補数（ｌｏｇｉｃａｌ  ｃｏｍｐｌｅｍｅｎｔ）を示し、Ｗ（１）＝０である。従って、
【数２】
2005524339.tif 000004
【００２４】
及び
【数３】
2005524339.tif 000005
【００２５】
Ｗ（８）は以下のとおりである：
【数４】
2005524339.tif 000006
【００２６】
ウォルシュ系列はウォルシュ関数行列の行の一つである。オーダー（ｏｒｄｅｒ）ｎのウォルシュ関数はｎ個の系列を含み、それぞれｎビットの長さである。データ伝送はそのような拡散符号の一つ或いはいくつかによってカバーされ、それゆえ同時かつ同一周波数上で生ずる異なる伝送の間のＣＤＭＡ分離を可能にする。この文脈では、“符号空間”或いは代わりに、“ウォルシュ空間”がデータを送信するために用いられる拡散符号系列の組を指す用語である。
【００２７】
データトラヒックチャネルの最初に送信されたデータビットを復元するために、復号器はデータをカバーするためにどれだけ多くの拡散符号が使用されているか、そしてどの拡散符号が用いられているかを判断することができなければならない。チャネルは、いくつかの可能な拡散符号と選択可能な符号化及び変調方式の多様性を用いることが出来るので、復号器が受信端（ｅｎｄ）において、送信端で用いられる実際の送信パラメータに関して知らされることが望ましい。送信パラメータは一つ或いはいくつかの別々の制御チャネルの上で運ばれてよく、別々の制御チャネルは時々送信するため、或いはデータトラヒックの伝送が生ずるそれぞれの時に送信するために実現されてよい。送信パラメータの受領は復号器がデータトラヒックチャネルの復号及び復調をただちに始めるのを可能にする。
【００２８】
ｃｄｍａ２０００システムにおいて、データトラヒックチャネルの一つのタイプは順パケットデータチャネル（Ｆ−ＰＤＣＨ）である。Ｆ−ＰＤＣＨは指定された時間間隔の間単一の遠隔局に割り当てられる。基地局によるＦ−ＰＤＣＨの生成は量が変化する資源を消費する。例えば、基地局のサービス（ｓｅｒｖｉｎｇ）エリアで生じる新しい音声呼は他の遠隔局に対して利用可能なウォルシュ符号の数を減らし、一方音声呼の解放は利用可能なウォルシュ符号の数を増やす。
【００２９】
本分野で知られているように、層化（ｌａｙｅｒｉｎｇ）は、さもなければ結合を断たれた処理実体である層（ｌａｙｅｒｓ）の間の、よく定義されカプセル化されたデータユニットにおける通信プロトコルを組織化するための方法である。図２は基地局２５０及び遠隔局２６０の両方で実現された３つのプロトコル層Ｌ１  ２２０、Ｌ２  ２１０、そしてＬ３  ２００を示す。層Ｌ１  ２２０は基地局及び遠隔局の間の無線信号の送信及び受信に備え、層Ｌ２  ２１０はシグナリング（ｓｉｇｎａｌｉｎｇ）メッセージの正確な送信及び受信に備え、そして層Ｌ３  ２００は通信システムに対して制御メッセージを送ることに備える。層Ｌ３  ２００は基地局２５０及び遠隔局２６０の間の通信プロトコルの意味及びタイミングに従ってシグナリングメッセージを生成及び終結させる。ｃｄｍａ２０００システムでは、Ｌ１は物理層と呼ばれ、Ｌ２はリンクアクセス制御（ＬＡＣ）層或いは媒体アクセス制御（ＭＡＣ）層と呼ばれ、そしてＬ３はシグナリング層と呼ばれる。シグナリング層の上部にはアプリケーション（Ａｐｐｌｉｃａｔｉｏｎ）層２３０があり、それは特定のアプリケーションのサービスに対する機能を有している。
【００３０】
層Ｌ３  ２００において、音声トラヒック２０１、パケットデータトラヒック２０３、そしてシステムサービス２０５が以前に述べた標準に従って構成されたデータユニットを介して運ばれる。ウォルシュ空間情報のような送信パラメータは層Ｌ３で処理される。ｃｄｍａ２０００システムの場合、ウォルシュ空間情報は、ウォルシュテーブル（Ｔａｂｌｅ）ＩＤメッセージ、ウォルシュマスク（Ｍａｓｋ）メッセージ、最後のウォルシュ符号インジケータ（ｉｎｄｉｃａｔｏｒ）メッセージとここで呼ばれる３つのＬ３のメッセージの使用によって基地局から遠隔局へと通信される。ウォルシュテーブルＩＤメッセージは複数のウォルシュテーブルの一つを確認するために用いられ、それぞれのテーブルは基地局と遠隔局の間にパケットデータチャネルを確立するために利用可能なウォルシュ符号の指標を表にしている。その指標はさらに使用の特定の順序の関数として保持されてよく、使用の特定の順序とは即ち、特定のウォルシュ符号系列は他のウォルシュ符号系列より前に使用されなければならないことを表す指標の順序である。
【００３１】
ウォルシュマスクメッセージは、特定されたウォルシュテーブルで表にされたウォルシュ符号の利用可能性についてのビットマップ（ｂｉｔｍａｐ）を示すためにＭＡＣ識別子（ｉｄｅｎｔｉｆｉｅｒ）（ＭＡＣ＿ＩＤ）と一緒に順パケットデータ制御チャネル（Ｆ−ＰＤＣＣＨ）で運ばれる。ある予め定められたＭＡＣ＿ＩＤＳは遠隔局のグループに共通であってよく、或いはＭＡＣ＿ＩＤＳは個々の遠隔局に対して一意（ｕｎｉｑｕｅ）であってよい。一意なＭＡＣ＿ＩＤｓは、遠隔局が通信システムに入るときに一意な国際移動局識別（Ｉｎｔｅｒｎａｔｉｏｎａｌ  Ｍｏｂｉｌｅ  Ｓｔａｔｉｏｎ  Ｉｄｅｎｔｉｆｙ）（ＩＭＳＩ）に従って遠隔局に割り当てられてよい。ある実現では、ＭＡＣ＿ＩＤの値は“０ｘ００”であり、それは基地局のサービス範囲内の全ての遠隔局への放送に対して予約されたＭＡＣ＿ＩＤである。ウォルシュマスクメッセージはウォルシュテーブルＩＤメッセージによって選択されたウォルシュテーブルの生じ得る“穴（ｈｏｌｅｓ）”を知らせるために使用される。順付加チャネル（Ｆ−ＳＣＨ）、順基本チャネル（Ｆ−ＦＣＨ）、及び／又は順個別制御チャネル（Ｆ−ＤＣＣＨ）のような他のトラヒックチャネルにあるウォルシュ符号が割り当てられたときに、穴は生成される。
【００３２】
最後のウォルシュ符号インジケータ（ＬＷＣＩ）メッセージは、対応するＦ−ＰＤＣＨに対して使用された最後のウォルシュ符号の指標を示すためにユーザのＭＡＣ＿ＩＤと共にＦ−ＰＤＣＣＨで運ばれる。ＬＷＣＩメッセージは、直前の順パケットデータチャネルを設定するためにどのウォルシュ符号が用いられたかに関する情報を運ぶためのものであると考えられる。
【００３３】
図３はＦ−ＰＤＣＨに対するウォルシュ空間情報を得る方法を示す。部分３００は基地局及び遠隔局の両方で保持される様々なウォルシュテーブル３０１Ａ、３０１Ｂ、……３０１Ｎを示す。ウォルシュテーブルＩＤメッセージ、ウォルシュマスクメッセージ、そして最後のウォルシュ符号インジケータメッセージは基地局によって遠隔局へ送信される。部分３１０は、ウォルシュマスクメッセージによって定義されたマスク３１１とウォルシュテーブルＩＤメッセージによって確認されたテーブル３０１ｉの重ね合わせを示す。図３においてマスク３１１は“０”と“１”の系列で表現され、そしてマスク３１１はテーブル３０１ｉに乗ぜられ、ここで“０”との乗算はテーブル３０１ｉにおける対応する系列は使用できないことを意味する。マスク３１１の重ね合わせは、基地局及び遠隔局の間の個別通信のために使用される部分３２０の中のウォルシュ符号の組３２１を生ずる。部分３２０はさらに、ＬＷＣＩ情報３２２、３２３を用いて対応するＦ−ＰＤＣＨに対して使用される最後のウォルシュ符号の指標を示す。
【００３４】
上述の方法はウォルシュマスクメッセージが遠隔局に送信されるやり方に起因して欠点を有する。ウォルシュマスクメッセージはＦ−ＰＤＣＣＨ上を放送の方式で送信される。それゆえ、全ての放送伝送に共通かつ不可避な欠点が上記方法の性能に影響する。特に二つの問題がある：信頼性と効率性。
【００３５】
信頼性に関して、ウォルシュマスクメッセージを放送の方式で送信することは全ての遠隔局がたとえ再送を伴ったとしても情報を受信出来ることを保証しない。遠隔局が正しいウォルシュマスク情報を得るのに困難を有するときに、必要とされるウォルシュマスク情報の欠如から回復する系統的な（ｓｙｓｔｅｍａｔｉｃ）方法は存在しない。
【００３６】
信頼性の欠如は効率性の欠如につながる。基地局は遠隔局が正しいウォルシュマスク情報を持っていないことを決定することが出来ないかもしれないので、システムの効率性が悪くなるだろう。遠隔局が正しいウォルシュマスク情報を持っていない場合は、該遠隔局へのいかなる伝送も無駄にされるだろう。
【００３７】
放送メッセージへの受領通知
ある実施例では、受領通知が生成されウォルシュマスクメッセージの放送に応答して使用される。上で示したように、“放送”は特定の条件下でのメッセージの送信を示す用語であり、即ち、共通のＭＡＣ＿ＩＤを共有している全ての遠隔局が放送伝送を復調及び復号できるように放送チャネルでの送信に特定のユーザのＭＡＣ＿ＩＤよりむしろ共通のＭＡＣ＿ＩＤを付与することである。実施例は、個別チャネルでの送信の成功或いは失敗を受領通知するために設計された受領通知チャネルを利用する。上述したように、受領通知チャネルの意図された当初の使用は、基地局の中のスケジューリング要素がシステムのデータスループットレートを増やすことを可能にするためである。
【００３８】
図４は、図５Ｂに対して以下でより詳細に説明される新しい受領通知チャネルを用いた放送伝送に対する受領通知の生成を説明する。図４に記載される方法のステップを実行するために、基地局内にプロセッサ及び記憶要素が構成される。或いは、そのステップを実行するために他の基盤（ｉｎｆｒａｓｔｒｕｃｔｕｒｅ）要素が構成されてもよい。実施例はブロック４Ａ及び４Ｂに記載される両方のプログラムの流れの実現を含む。ステップ４００で、放送伝送に対する受領通知が生成されなければならないかどうかに関して遠隔局においてシステムフラグ（ｆｌａｇ）がセットされる。この実施例で、放送伝送ははウォルシュマスクメッセージである。
【００３９】
ブロック４Ａのステップ４１０で、遠隔局はウォルシュマスクメッセージを受信し、新たに受け取ったウォルシュマスクを遠隔局に保持されている古いウォルシュマスクと比較する。受け取ったウォルシュマスクメッセージが古いウォルシュマスクメッセージと同じであるなら、ステップ４２０で遠隔局は受領通知を送信しない。ある実施例では、遠隔局が以前に古いウォルシュマスクメッセージの受領を通知しているなら、遠隔局は受領通知を繰り返すように構成されてよい。受け取ったウォルシュマスクメッセージが古いウォルシュマスクメッセージと異なり、ブロック４Ｂに記載された条件が満たされるならば、ステップ４３０で遠隔局は図５Ｂに記載される逆リンク受領通知チャネルで受領通知を送信する。
【００４０】
ブロック４Ｂのステップ４５０で遠隔局は、Ｆ−ＰＤＣＣＨ上のウォルシュマスクメッセージと同じ期間にＦ−ＰＤＣＨ上での送信がスケジュールされたかどうか判断する。同じ時期でないならば、ステップ４６０で遠隔局は受領通知を送信しない。同じ時期であって、ブロック４Ａの条件が満たされるならば、ステップ４７０で遠隔局は図５Ｂに記載される逆リンク受領通知チャネルで受領通知を送信する。
【００４１】
図５Ａは個別チャネルで受信される受領通知するメッセージのための従来技術の受領通知チャネルの構成の例である。遠隔局（図示されず）は各スロットに対して０又は１の１ビットを生成し、サブパケットが正確に復号されたか否かについて示す。“スロット”は時間の期間であり、“サブパケット”は送信の単位である。メッセージは少なくとも１スロットの期間にわたって、一つまたは複数のサブパケットとして送信されうる。ビットは繰り返し要素５００において複数回繰り返される。毎秒１．２２８８メガチップ（ｍｅｇａｃｈｉｐｓ）（Ｍｃｐｓ）のレートで送信するシステムでは、最適な繰り返し因子（ｆａｃｔｏｒ）は２４（２４）である。用語“チップ”は、ウォルシュ符号によって拡散されるビットパターンのような拡散系列におけるビットを記述するために使用される。繰り返し要素５００の出力は写像要素５１０によって＋１又は−１のいずれかへ写像される。写像要素５１０の出力は拡散（ｓｐｒｅａｄｉｎｇ）要素５２０によってカバーされる。ある実施例では、拡散要素５２０はｉ番目の６４の（−ａｒｙ）ウォルシュ符号系列によって写像出力（ｍａｐｐｉｎｇ  ｏｕｔｐｕｔ）を拡散する乗算器であり得る。
【００４２】
図５Ｂは、個別パケットチャネルで送信される伝送の受領通知を行うための、そして放送チャネルで送信される伝送の受領通知を行うための新しい逆リンク受領通知チャネル（Ｒ−ＡＣＫＣＨ）に対するチャネル構成のブロック図である。個別チャネルに対する逆受領通知チャネルビット５５０は、繰り返し因子ＲＦ＝３×ＡＣＫＣＨ＿ＲＥＰＳｓの繰り返し要素５６０への入力であり、ここでＡＣＫＣＨ＿ＲＥＰＳｓは１、２、又は４の値をとるシステムに定義された定数である。ある実施例において、逆受領通知チャネルビットの数は１．２５ｍｓスロットにわたってＡＣＫＣＨ＿ＲＥＰＳｓあたり１ビットの規則に従って生成される。繰り返し要素５６０の出力はスロットあたり３シンボルである。放送チャネルで受信される伝送のための逆受領通知チャネルビット５５５はカバーリング（ｃｏｖｅｒｉｎｇ）要素５７０への入力である。逆受領通知チャネルビット５５５はカバーリング要素５７０によってウォルシュ符号系列を選択するために使用される。選択されたウォルシュ符号系列はスロットあたり８シンボルを含み、乗算器５８０を用いることによって繰り返し要素５６０の出力をカバーしてスロットあたり２４シンボルを形成する。持続時間１．２５ｍｓのスロットを用いることで、乗算器の出力は１秒あたり１９キロシンボル（ｋｓｐｓ）のレートで生成される。出力はそれから送られて、変調され、アップコンバートされ（ｕｐｃｏｎｖｅｒｔｅｄ）そして大気中に送信される。これらの詳細はここでは述べない。
【００４３】
ある一般的な実施例では、新しいＲ−ＡＣＫＣＨチャネルは個別伝送を受領通知することに加えて任意の放送伝送を受領通知することが出来る。放送伝送に対する受領通知ビットの値は個別伝送に対する受領通知ビットをカバーするウォルシュ符号系列を選択するために使用されることは注意されなければならない。基地局が受領通知メッセージを受信すると、基地局は個別チャネルに対する受領通知ビットをカバーするために使用されるウォルシュ符号系列を同定できるだろう。
【００４４】
シグナリングメッセージの交換
逆リンクの変動によって、上述された受領通知チャネルで送られる受領通知は非受領通知として誤解され得る。別の実施例で、基地局と遠隔局はＬ３のシグナリングメッセージを介して関連した情報を交換できる。Ｌ３のシグナリングメッセージが交換される実施例は上述の実施例と一緒に実行することができる。
【００４５】
Ｌ３のシグナリングメッセージを交換するために、個別チャネルでのＬ３のシグナリングメッセージを遠隔局が復調及び復号することができるための方法論が確立されなければならない。問題は、遠隔局が送信形式に関する知識を有していないときに特定の送信形式で送られたメッセージをどのようにして遠隔局が復調及び復号できるかである。
【００４６】
初めの方で述べたように、特定の遠隔局に対する伝送は個別チャネルで送られ、遠隔局のグループに対する伝送は放送の方式で送られる。個別チャネルでの伝送は潜在的なパラメータの大きな選択から選ばれたパラメータの組を用いて符号化される。基地局によって使用されたパラメータの特定の組を遠隔局が知らない場合、そのとき遠隔局は、伝送が正しく復号されるまでパラメータの全ての組を用いて伝送を復調及び復号するように試みなければならないだろう。これは非効率な方法論である。それゆえ、遠隔局が伝送形式の情報を受信出来るように、一般的には放送チャネルで伝送形式の情報は送信される。
【００４７】
この放送された伝送形式の情報を用いて、遠隔局は個別チャネルの伝送メッセージを素早く効率的に復調及び復号することができるようになるだろう。ここで説明される実施例は、遠隔局が個別チャネル上の伝送形式の情報を復調及び復号することを可能にするためのものである。
【００４８】
ある実施例では、少なくとも一つのプロセッサ及び記憶要素、或いは基地局内のスケジューリング機能を実行できる他の基盤要素が、ウォルシュ符号系列の重複する組を用いてＬ３シグナリングメッセージ或いは他の伝送を送信するように構成される。ウォルシュ符号系列の重複する組は前のウォルシュ空間と現在のウォルシュ空間との間で共通なウォルシュ符号系列の組である。新しいウォルシュ空間が情報を送信するために選ばれる場合、新しいウォルシュの組の部分集合が古いウォルシュの組の部分集合と同じになることはあり得る。この共通の部分集合は重複する組と呼ばれる。
【００４９】
図３で示されるように、ウォルシュテーブル上のウォルシュマスクの使用は利用可能なウォルシュ符号系列の組を生成する。ＬＷＣＩメッセージはどのウォルシュ符号が最後に使用されたかを示す。一般にシステムは、どのウォルシュ符号が次に使用されるべきかを決定するための選択規則を実施する。例えば、一般的な選択規則はテーブルの底からウォルシュ符号を選び、個別チャネルでのそれぞれの後の伝送に対してテーブルの席を詰める（ｍｏｖｅ  ｕｐ）。
【００５０】
ある実施例では、プロセッサ及び記憶要素はどのウォルシュ符号が前に使用されたテーブルから最後に使用されたか及びどのウォルシュ符号はそうでないのかを判断するように構成される。ウォルシュの選択規則の知識を用いて、プロセッサ及び記憶要素は前のテーブルからウォルシュ符号の組を選択する。前のテーブルにおけるウォルシュ符号の組は与えられた選択規則によって選択される可能性が最も少ないウォルシュ符号系列を含む。そしてプロセッサ及び記憶要素はこれらの最も選択される可能性が少ないウォルシュ符号を共有する新しいウォルシュ符号テーブルを選択する。或いは、ＬＷＣＩインジケータは前のテーブルのこれらのウォルシュ符号を指すためにリセットされる。テーブルにおけるウォルシュ符号系列の順番は、基地局及び遠隔局がその同じ順番に同意あるいはそれを共有する限り任意であってよいことは注意する必要がある。
【００５１】
これら重複するウォルシュ符号系列を用いて基地局は、Ｆ−ＰＤＣＨのような個別チャネルで遠隔局へのＬ３シグナリングメッセージを送信し、ここにおいてＬ３シグナリングメッセージは他の伝送のための伝送形式の情報を含む。順及び逆リンクの品質はしばしば大きく変動するので、それゆえ伝送メッセージの伝送形式もシステムのデータスループットを最適化するために大きく変化することができることは注意されなければならない。
【００５２】
一度基地局が重複するウォルシュ符号系列を決定すると、基地局は現在の伝送形式の情報を有さない遠隔局へ個別チャネルで送信してよい。
【００５３】
図６は現在の伝送形式の情報を含むＬ３シグナリングメッセージを交換するためのフローチャートである。ステップ６００で遠隔局は、誤ったウォルシュマスク、ウォルシュテーブル或いはＬＷＣＩが使用されたことを指摘して個別チャネルで最近受信された伝送が適切に復号できなかったことを判断する。ステップ６１０で、遠隔局はウォルシュマスクリクエストメッセージ或いはウォルシュテーブルＩＤリクエストメッセージ或いはＬＷＣＩリクエストメッセージのどれでも適切なものを生成し、該メッセージをサービス中の基地局に送信する。ステップ６２０で、サービス中の基地局は該メッセージを受信し、その更新の応答が該メッセージに対する適切な返事になっているウォルシュマスク更新メッセージ或いはウォルシュテーブルＩＤ更新メッセージ或いはＬＷＣＩ更新メッセージを遠隔局に送る。ステップ６３０で、遠隔局は該更新の応答を受信しウォルシュ符号系列を更新する。更新ウォルシュ情報更新メッセージは基地局によって自主的に、即ち遠隔局からの対応するリクエスト無しに送られてよいことに注意する。
【００５４】
上述した実施例は、放送チャネルよりむしろ、或いはそれに加えて個別チャネルの上で伝送形式の情報を送るためのものである。これらの実施例は遠隔局がサービス中の基地局の範囲に最初に入るときはいつでも実施され得る。更に、実施例は遠隔局が放送伝送に応答して非受領通知を送信するときはいつでも実施されてよく、その過程は上で説明される。
【００５５】
直交空間情報の同期
上述された直交符号空間情報の信頼出来る伝達に対する実施例は、放送チャネル或いは個別チャネルのいずれかである伝送チャネルの品質に依存する。直交空間情報を更新するのにいずれのタイプのチャネルも十分でない状況が生じた場合、直交空間情報を同期するための以下の実施例が上述の実施例と共に実施され得る。典型的には、延長された期間の間に遠隔局にメッセージを運ぶためにはチャネル条件が不十分であるならば、遠隔局は送信している基地局に非受領通知の連続を送信するだろう。遠隔局が誤った直交空間情報を有しているとの判断を形成するまでに基地局に複数の非受領通知を待たせるよりむしろ、後述の実施例は基地局がただ一つの非受領通知を受信した後に判断することを可能にする。
【００５６】
ある実施例では、サービス中の基地局はそれぞれがサービス中の基地局の範囲内で動作している遠隔局と関連付けられた複数のカウンター（ｃｏｕｎｔｅｒｓ）と共に構成される。カウンターの数は、基地局が品質の閾値までの範囲で扱える遠隔局の数によって定められるシステムによって定義されたパラメータであり得る。各遠隔局もまたカウンターと共に構成され、そのカウンターは基地局の対応するカウンターと同期しているだろう。
【００５７】
ある実施例では、カウンターは３ビットのカウンターである。３ビットのカウンターはウォルシュマスクの変化の数を数える。基地局のカウンターは遠隔局に新しいウォルシュマスクメッセージが送信される時にモジュロ８（ｍｏｄｕｌｏ  ｅｉｇｈｔ）で１増加され、遠隔局のカウンターは新しいウォルシュマスクメッセージを受信した時にモジュロ８で１増加される。
【００５８】
この実施例の一般的な記述は、遠隔局のカウンターの内容はウォルシュのカバー（ｃｏｖｅｒ）を選択するために用いられ、ウォルシュのカバーは図５Ｂに説明されるような新しい逆受領通知チャネル（Ｒ−ＡＣＫＣＨ）で送信される受領通知或いは非受領通知ビットをカバーするために使用されるということである。新しい逆受領通知チャネルにおいて、放送伝送に対する受領通知ビットの値は個別伝送に対する受領通知ビットをカバーするウォルシュ符号系列を選択するために用いられる。放送伝送に対する受領通知の長さが３ビット長であるならば、送信される受領通知メッセージには８つの値が埋め込まれ得る。基地局が遠隔局から受領通知或いは非受領通知ビットを受信すると、基地局は受信されたビットのウォルシュのカバーをチェックし、埋め込まれたカウンターの内容を引き出す。受信された受領通知或いは非受領通知の埋め込まれたカウンターの内容がローカルな（ｌｏｃａｌ）カウンターの値と異なるならば、遠隔局が現在の伝送形式の情報で動作していないというような、同期の問題が生じたと基地局は判断する。それゆえ、この実施例では、カウンターの値はウォルシュマスクの系列の識別子として働く。ひとたび同期の問題が認識されると、次に基地局は問題を修正するために適切な行動をとることができる。
【００５９】
ある実施例では、基地局はローカルなカウンターを埋め込まれたカウンターの内容にリセットすることによって同期の問題を修正する。埋め込まれたカウンターの内容は遠隔局からの受領通知或いは非受領通知ビットのウォルシュのカバーによって指定される。この実施例では、基地局が全ての埋め込まれたカウンターの内容を絶えず把握することが出来るように、基地局は各遠隔局に対して少なくとも一つのカウンターを持たなければならない。
【００６０】
別の実施例では、基地局はＬ３シグナリングメッセージを送信し、その過程は図６に対する本文で上述されている。伝送形式の情報に加えて、Ｌ３シグナリングメッセージは適切な基地局カウンターの内容の値を更に運ぶように構成され得る。Ｌ３シグナリングメッセージを受信すると、遠隔局はそのカウンターの値を適切なカウンターの値にリセットし、ウォルシュ空間情報をＬ３シグナリングメッセージに従ってリセットする。
【００６１】
別の実施例では、基地局は全ての遠隔局カウンターの共通のカウンター値へのリセットを強いる。放送チャネルで、基地局はカウンターリセットコマンドメッセージを送信することができ、リセットコマンドに特定のユーザＭＡＣ＿ＩＤよりむしろ共通のＭＡＣ＿ＩＤを付与することができる。それゆえ、共通のＭＡＣ＿ＩＤを共有する全ての遠隔局はカウンター値を受信し、ローカルなカウンターを適切にリセットする。
【００６２】
或いは、実際の共通のＭＡＣ＿ＩＤ自身がカウンターのリセット値として用いられてもよい。例えば、ｃｄｍａ２０００システムでは、ＭＡＣ＿ＩＤの値０〜７はサービス中の基地局の範囲内で動作している全ての遠隔局の間で共通として指定される。それゆえ、ＭＡＣ＿ＩＤの値６が放送チャネルで送信されるならば、このＭＡＣ＿ＩＤに付属させられたメッセージを復号するように全ての遠隔局は構成されるだろう。ある実施例では、基地局と遠隔局の両方で３ビットのカウンターが使用されるならば、２３＝８の値が遠隔局へ運ばれる必要がある。ローカルなカウンターの値がＭＡＣ＿ＩＤの値を選ぶために使用されるならば、別々のリセットコマンドメッセージに対する必要は無くなる。ＭＡＣ＿ＩＤは二重の目的に役立つだろう：第1に、付与されたメッセージが全ての遠隔局に対するものであることを明確にする本来の目的、そして第２に、カウンターの値を識別する（ｉｄｅｎｔｉｆｙｉｎｇ）目的。
【００６３】
基地局が共通の値のリセットを強いるなら、全ての遠隔局は同じカウンターの内容を持つようにリセットされるので基地局はただ一つだけのローカルなカウンターを持つ必要があることは注意されるべきである。
【００６４】
２ビットのカウンター或いは４ビットのカウンターのようなより大きい或いはより小さいサイズのカウンターは、実施例の範囲に過度に影響することなく使用され得ることは更に注意されるべきである。
【００６５】
情報及び信号は異なる技術や方法の多様性のいずれを用いて表現されてもかまわないことを当業者は理解するだろう。例えば、上記説明を通して参照されたデータ、命令、コマンド、情報、信号、ビット、シンボル、そしてチップは、電圧、電流、電磁波、磁場または磁気粒子、光学場または光学粒子、或いはそれらの任意の組み合わせによって表現されてかまわない。
【００６６】
ここで開示された実施例に関連して説明された様々な例示的な論理ブロック、モジュール、回路、及びアルゴリズムステップが、電子ハードウェア、コンピュータソフトウェア、或いは両者の組み合わせとして実現されてよいことを当業者は更に理解するだろう。ハードウェアとソフトウェアのこの交換可能性を明確に説明するために、様々な例示的な構成要素、ブロック、モジュール、回路、そしてステップは一般にその機能性の観点から上で説明されてきた。そのような機能性がハードウェア或いはソフトウェアのいずれとして実現されるかは、特定のアプリケーション及び全体的なシステムに課せられた設計の制約に依存する。熟達した技術者は、それぞれの特定のアプリケーションに対して様々なやり方で説明された機能性を実現してかまわないが、そのような実現の判断は本発明の範囲からの逸脱を生じるものとして解釈されるべきではない。
【００６７】
ここで開示された実施例に関連して説明された様々な例示的な論理ブロック、モジュール、そして回路は、汎用プロセッサ、ディジタル信号プロセッサ（ＤＳＰ）、特定用途向け集積回路（ＡＳＩＣ）、フィールドプログラマブルゲートアレー（ＦＰＧＡ）または他のプログラマブル論理デバイス、個別ゲートまたはトランジスタロジック、個別ハードウェア構成要素、またはここで説明された機能を実行するように設計されたそれらの任意の組み合わせで実現または実行されてよい。汎用プロセッサは、マイクロプロセッサであってよいが、代替的に、プロセッサは任意の通常のプロセッサ、コントローラ、マイクロコントローラ、または状態機械（ｓｔａｔｅ  ｍａｃｈｉｎｅ）であってよい。プロセッサは、更に、コンピューティングデバイスの組み合わせ、例えばＤＳＰとマイクロプロセッサとの組み合わせ、複数のマイクロプロセッサ、ＤＳＰコアと接続した１つまたは複数のマイクロプロセッサ、または他のそのような構成として実現されてよい。
【００６８】
ここで開示された実施形態と関連して説明された方法またはアルゴリズムのステップは、ハードウェアの中で直接具体化されるか、プロセッサによって実行されるソフトウェアモジュールの中で具体化されるか、またはこれら２つの組み合わせで具体化されてよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または当技術分野で知られた記憶媒体の任意の他の形式の中に存在してよい。例示的な記憶媒体はプロセッサへ結合され、プロセッサは記憶媒体から情報を読み出し、記憶媒体へ情報を書き込むことができる。或いは、記憶媒体はプロセッサと一体化されてよい。プロセッサおよび記憶媒体は、ＡＳＩＣの中に存在してよい。ＡＳＩＣはユーザ端末の中にあってよい。或いはプロセッサおよび記憶媒体は、ユーザ端末において個別構成要素として存在してよい。
【００６９】
開示された実施例のこれまでの説明は、いかなる当業者でも本発明を作成または使用することが可能となるように提供される。これらの実施例への様々な修正は、当業者に容易に明らかとなるだろう。そして、ここで規定された一般的原理は、本発明の趣旨および範囲から逸脱することなく他の実施例へ適用されてよい。したがって、本発明は、ここで示された実施例へ限定されることを意図されず、ここで開示された原理および新規な特徴と矛盾しない最も広い範囲を与えられるべきである。
【図面の簡単な説明】
【００７０】
【図１】無線通信ネットワークの図である。
【図２】基地局及び遠隔局におけるシグナリング層Ｌ１、Ｌ２、及びＬ３の間の相互作用の図である。
【図３】ウォルシュ空間情報を得る過程の図である。
【図４】遠隔局が放送メッセージへの受領通知を伝送すべきときを示すフローチャートである。
【図５Ａ】受領通知チャネルに対する従来技術のチャネル構成のブロック図である。
【図５Ｂ】受領通知チャネルに対する新しいチャネル構成のブロック図である。
【図６】遠隔局のウォルシュ符号系列がどのように更新されるかを示すフローチャートである。
【符号の説明】
【００７１】
１０…無線通信ネットワーク、  ２５０…基地局、  ２６０…遠隔局、
３０１ｉ…テーブル、  ３１１…マスク、  ５２０…拡散要素
【図１】
2005524339.tif 000007
【図２】
2005524339.tif 000008
【図３】
2005524339.tif 000009
【図４】
2005524339.tif 000010
【図５Ａ】
2005524339.tif 000011
【図５Ｂ】
2005524339.tif 000012
【図６】
2005524339.tif 000013
【国際調査報告】
2005524339.tif 000014
2005524339.tif 000015